【手続補正書】
【提出日】平成18年11月2日(2006.11.2)
【手続補正１】
【補正対象書類名】明細書
【補正対象項目名】特許請求の範囲
【補正方法】変更
【補正の内容】
【特許請求の範囲】
【請求項１】  ディジタル通信ネットワークにおけるディジタル情報の伝送方法であって、前記ネットワークは、各々がコマーシャルブーケに関連する情報を含む少なくとも１つのブーケ関連テーブルを伝送する複数のパケットトランスポートストリームを含むものにおいて、前記方法が、前記トランスポートストリームの１つに於いて、それぞれが個別に異なるコマーシャルブーケに関連する情報を含んでいる少なくとも２つの異なるブーケ関連テーブルを伝送する工程と、与えられたブーケ関連テーブルの一つが前記トランスポートストリームからダウンロードされることを可能とする様に、前記トランスポートストリームに於いて、少なくとも前記トランスポートストリームに関して、少なくとも２つのブーケ関連テーブルを前記トランスポートストリームの中から識別する為のブーケ識別値のリストを含んでいる少なくとも１つの他のテーブルを伝送する工程、とを含んでいる事を特徴とする方法。
【請求項２】  ブーケ関連テーブルが、コマーシャルブーケにあるサービスに関する情報を含むブーケアソシエションテーブルに対応することを特徴とする請求項１に記載の方法。
【請求項３】  前記ネットワークにおける複数のトランスポートストリームのそれぞれに対して、ブーケＩＤ値のリストを含む汎用テーブルが提供され、この汎用テーブルが、それぞれのトランスポートストリーム内で伝送されることを特徴とする請求項１または請求項２に記載の方法。
【請求項４】  前記汎用テーブルが、前記ネットワークにおける全トランスポートストリームに関する情報を伝送するために使用されるネットワーク情報に対応することを特徴とする請求項３に記載の方法。
【請求項５】  他のネットワークの少なくともトランスポートストリームの少なくともいくつかに関連するブーケＩＤ値のリストを含む汎用テーブルからなるトランスポートが提供されることを特徴とする請求項１乃至４のいずれかに記載の方法。
【請求項６】  トランスポートストリーム特有テーブルが各々のトランスポートストリームで伝送され、前記各々のトランスポートストリーム特有テーブルがこの特定のトランスポートストリームに関連したブーケＩＤ値のリストを含むことを特徴とする請求項１または２に記載の方法。
【請求項７】  前記トランスポートストリーム特有テーブルが、このトランスポートストリームで伝送されるサービスに関する情報を伝送するために使用されるサービス記述テーブルに対応することを特徴とする請求項６に記載の方法。
【請求項８】  前記ブーケＩＤ値が、前記サービス記述テーブルにリストされたサービスの各々にさらに関連することを特徴とする請求項７に記載の方法。
【請求項９】  他のトランスポートストリームに関連したブーケＩＤ値のリストを含むテーブルを１つのトランスポートストリームで伝送することをさらに含むことを特徴とする請求項６乃至８のいずれかに記載の方法。
【請求項１０】  ネットワークにおける全ブーケ関連テーブルが、所定のパケットＩＤおよびテーブルＩＤ値で識別されることを特徴とする請求項１乃至９のいずれかに記載の方法。
【請求項１１】  ブーケアソシエションテーブルが、テーブルＩＤ拡張値によって識別され、この値が前記ブーケＩＤ値に対応することを特徴とする請求項１０に記載の方法。
【請求項１２】  ディジタルテレビジョンシステムの伝送に適用されるような前述の請求項１乃至１１のいずれかに記載の方法。
【請求項１３】  ディジタル通信ネットワークを介して受信されたディジタル情報を処理する方法であって、前記ネットワークは、各々がコマーシャルブーケに関連する情報を含む少なくとも１つのブーケ関連テーブルを伝送する複数のパケットトランスポートストリームを含むものにおいて、前記方法が、それぞれが個別に異なるコマーシャルブーケに関連する情報を含んでいる少なくとも２つの異なるブーケ関連テーブルを伝送するトランスポートストリームを受信する工程と、前記トランスポートストリームから、少なくとも前記トランスポートストリームに関して、少なくとも２つのブーケ関連テーブルを前記トランスポートストリームの中から識別する為のブーケ識別値のリストを含む他のテーブルをダウンロードする工程と、前記情報を与えられたブーケ関連テーブルの一つを識別し前記トランスポートストリームからダウンロードする為に使用する工程とから構成されていることを特徴とする方法。
【請求項１４】  複数のトランスポートストリームのそれぞれに対してブーケＩＤ値のリストを含む汎用テーブルをダウンロードすることを含むことを特徴とする請求項１３に記載の方法。
【請求項１５】  特定の一つトランスポートストリームと関連するブーケＩＤ値のリストを含むトランスポートストリーム特有テーブルをダウンロードすることを含むことを特徴とする請求項１３に記載の方法。
【請求項１６】  ディジタルテレビジョン信号の受信に適用される事を特徴とする請求項１３乃至１５のいずれかに記載の方法。
【請求項１７】  、各々がコマーシャルブーケに関連する情報を含む少なくとも１つのブーケ関連テーブルを伝送する複数のパケットトランスポートストリームを含むディジタルテレビジョン信号であって、前記ディジタルテレビジョン信号は、前記トランスポートストリームの１つに於いて、それぞれが個別に異なるコマーシャルブーケに関連する情報を含んでいる少なくとも２つの異なるブーケアソシエションテーブルと、前記トランスポートストリームの中から与えられた１つのブーケアソシエションテーブルが識別され且つダウンロードされることを可能とする為に、前記トランスポートストリームに関して、少なくとも２つのブーケアソシエションテーブルを前記トランスポートストリームの中から識別する為のブーケ識別値のリストを含む少なくとも１つの他のテーブルと、を含んでいる事を特徴とするディジタルテレビジョン信号。
【請求項１８】  前記信号は、複数の前記トランスポートストリームのそれぞれに対して、ブーケＩＤ値のリストを含む汎用テーブルを含んでおり、前記汎用テーブルは、前記トランスポートストリームのそれぞれに於いて伝送されることを特徴とする請求項１７に記載の信号。
【請求項１９】  前記汎用テーブルが、前記ネットワークにおける全トランスポートストリームに関する情報を伝送するために使用されるネットワーク情報テーブルに対応することを特徴とする請求項１８に記載の信号。
【請求項２０】  他のネットワークの前記トランスポートストリームの少なくともいくつかと関連するブーケＩＤ値のリストを含む汎用テーブルを含むトランスポートストリームが、提供されることを特徴とする請求項１８または１９に記載の信号。
【請求項２１】  トランスポートストリーム特有テーブルがそれぞれのトランスポートストリームによって伝送され、前記トランスポートストリーム特有テーブルのそれぞれがこの特定のトランスポートストリームに関連したブーケＩＤ値のリストを含むことを特徴する請求項１７に記載の信号。
【請求項２２】  前記トランスポートストリーム特有テーブルが、このトランスポートストリームで伝送される前記サービスに関する情報を伝送するために使用されるサービス記述テーブルに対応することを特徴とする請求項２１に記載の信号。
【請求項２３】  前記ブーケＩＤ値が、さらに前記サービス記述テーブルで列挙された前記サービスの各々に関連していることを特徴とする請求項２２に記載の信号。
【請求項２４】  さらに他のトランスポートストリームに関連したブーケＩＤ値のリストを含むテーブルを１つのトランスポートストリームに含むことを特徴とする請求項２１乃至２３のいずれかに記載の信号。
【請求項２５】  ディジタル通信ネットワークにおける全ブーケアソシエションテーブルが、所定のパケットＩＤおよびテーブルＩＤ値で識別されることを特徴とする請求項１７乃至２４のいずれかに記載の信号。
【請求項２６】  ブーケアソシエションテーブルがテーブルＩＤ拡張値によって識別され、この値が前記ブーケＩＤ値に対応することを特徴とする請求項２５に記載の信号。
【請求項２７】  ディジタル通信ネットワークでディジタル情報を伝送する装置であって、前記ネットワークは、各々がコマーシャルブーケに関連する情報を含む少なくとも１つのブーケ関連テーブルを伝送する複数のパケットトランスポートストリームを含むものであって、前記装置は、前記トランスポートストリームの１つに於いて、それぞれが個別に異なるコマーシャルブーケに関連する情報を含んでいる２つの異なるブーケ関連テーブルを伝送する手段と、与えられたブーケ関連テーブルの一つが認識され、且つ前記トランスポートストリームからダウンロードされることを可能とする様に、前記トランスポートストリームに於いて、少なくとも前記トランスポートストリームに関して、少なくとも２つのブーケ関連テーブルを前記トランスポートストリームの中から識別する為のブーケ識別値のリストを含んでいる少なくとも１つの他のテーブルを伝送する手段、とを含んでいる事を特徴とする装置。
【請求項２８】  ディジタル通信ネットワークを介して受信されたディジタル情報を処理する装置であって、前記ネットワークは、各々がコマーシャルブーケに関連する情報を含む少なくとも１つのブーケ関連テーブルを伝送する複数のパケットトランスポートストリームを含むものであって、前記装置は、それぞれが個別に異なるコマーシャルブーケに関連する情報を含んでいる少なくとも２つの異なるブーケ関連テーブルを伝送するトランスポートストリームを受信する受信手段と、すくなくとも前記トランスポートストリーム対して、前記トランスポートストリームの中から、少なくとも２つのブーケ関連テーブルを識別する為のブーケＩＤ値のリストを含む少なくとも１つの他のテーブルを前記トランスポートストリームからダウンロードする手段と、前記情報を与えられたブーケ関連テーブルの一つを認識し、且つそれを前記トランスポートストリームからダウンロードする為に使用するため手段とを含んでいることを特徴とする装置。
【手続補正２】
【補正対象書類名】明細書
【補正対象項目名】０００７
【補正方法】変更
【補正の内容】
【０００７】
特に、ブーケアソシエションテーブルは、コマーシャルブーケにあるサービスに関する情報を含むブーケアソシエションテーブルに対応してもよい。本発明はコマーシャルブーケに関連したサービス情報を伝送するブーケアソシエションテーブルに関して特に適用可能であるが、本発明は、ブーケ情報を含む他のテーブル、例えばブーケ提供に関連した対話型アプリケーションに関する情報を伝送するアプリケーション記述テーブルに適用されてもよい。
ネットワークのブーケアソシエションテーブルの概要およびトランスポートストリーム内のブーケアソシエションテーブル位置を提供するテーブルの装備によって、受信装備は、必要とされるブーケアソシエションテーブルを迅速で効率的に識別し、フィルタリング出力する。このテーブルは、通常全て同じＰＩＤ、ＴＩＤ値を有し、デコーダには既知ではなくてもよいＴＩＤ拡張値によってのみ識別されてもよいので、これは、複数のブーケアソシエションテーブルが単一トランスポートストリームで伝送される場合に特に困難であると分かり得る。
多数の実行が可能である。１つの実施形態では、ネットワークの複数のトランスポートストリームに関連したブーケＩＤ値のリストを汎用テーブルは提供され、この汎用テーブルは、ネットワークの対応するトランスポートストリームの各々で伝送される。
【手続補正３】
【補正対象書類名】明細書
【補正対象項目名】０００９
【補正方法】変更
【補正の内容】
【０００９】
テーブルを伝送するネットワークに関連するブーケアソシエションテーブルデータに関する汎用データの伝送に加えて、１つの実施形態は、他のネットワークのいくつかあるいは全てのトランスポートストリームに関連した全ブーケＩＤのリストを含む汎用テーブルのネットワークトランスポートストリームでの伝送に対しても提供されてもよい。
全トランスポートストリームに対してブーケＩＤ値を伝送するための汎用テーブルの使用は特に便利であるが、これは唯一の可能性でなく、他の状況では、他の実施形態は好ましいかもしれない。特に、多数のトランスポートストリームを含むネットワークにおいて、これらのトランスポートストリームはグループで構成されてもよく、情報およびサービスは各グループのトランスポートストリーム間だけで共有される。
このような状況では、ネットワークで全トランスポートストリームの全ＢＡＴを含む全汎用テーブルおよびグループ内のトランスポートストリームだけを含む部分テーブルの使用に基づく解決策を提供する必要は全然なくてもよく、このグループ内の全トランスポートストリームの放送は使用されてもよい。
【手続補正４】
【補正対象書類名】明細書
【補正対象項目名】００１１
【補正方法】変更
【補正の内容】
【００１１】
このテーブルを伝送するために使用されるトランスポートストリームに関連したブーケＩＤに関するテーブルを伝送することに加えて、この方法は、例えば、同じネットワークであるいは他のネットワークにおいてさえ、トランスポートストリームに関連したブーケＩＤ値のリストを含むテーブルを１つのトランスポートストリームで伝送することも含んでもよい。
本発明は、全ブーケアソシエションテーブルが所定のパケットＩＤおよびテーブルＩＤ値で識別される伝送の方法に特に応用可能である。例えば、ＤＶＢ準拠システムでは、全ブーケアソシエションテーブルは、ＰＩＤ、ＴＩＤ値０ｘ００１１、０ｘ４Ａによって識別される。
このような実施形態では、各ブーケアソシエションテーブルは、テーブルＩＤ拡張値によって識別されてもよく、この値はブーケＩＤ値に対応する。例えば、ＤＶＢ準拠システムでは、ＢＡＴテーブルのテーブルＩＤ拡張値は、欧州放送協会によってオペレータに割り当てられたブーケＩＤと同じである。
【手続補正５】
【補正対象書類名】明細書
【補正対象項目名】００１２
【補正方法】変更
【補正の内容】
【００１２】
本発明の前述の説明はディジタル情報の伝送の方法に重点が置いている。
他の態様から見れば、本発明は、ディジタル通信ネットワークを介して受信されたディジタル情報を処理する方法を含み、この方法は、少なくとも１つのブーケアソシエションテーブルに関連するブーケＩＤ値のリストを含む少なくとも１つのテーブルをトランスポートストリームからダウンロードを含み、各ブーケＩＤ値は、ブーケ関連テーブルを伝送する対応するトランスポートストリームで、かつ少なくとも１つのトランスポートストリームで伝送される少なくとも１つのブーケ関連テーブルをダウンロードするためにこの情報を使用して識別される。
本発明のこの態様の好ましい実施形態は、ブーケアソシエションテーブルあるいは各ブーケアソシエションテーブルに関連したブーケＩＤ値のリストを含む少なくとも１つのテーブルをトランスポートストリームからダウンロードすることを特徴とする、ディジタル通信ネットワークを介して受信されたディジタル情報を処理する方法を提供し、ブーケＩＤ値は、ブーケアソシエションテーブルを伝送する対応するトランスポートストリームで、１つあるいはそれ以上のトランスポートストリームで伝送される１つあるいはそれ以上のブーケアソシエションテーブルをダウンロードするためにこの情報を使用して識別される。
【手続補正６】
【補正対象書類名】明細書
【補正対象項目名】図面の簡単な説明
【補正方法】変更
【補正の内容】
【図面の簡単な説明】
【図１】
本実施形態によるディジタルＴＶシステムの全アーキテクチャを示している。
【図２】
図１の限定受信システムのアーキテクチャを示している。
【図３】
放送トランスポートストリーム内のトランスポートパケットおよびテーブルデータの構造を示している。
【図４】
図３の放送トランスポートストリーム内で伝送されたブーケアソシエションテーブルの構造を示している。
【図５】
図３の放送トランスポートストリーム内で伝送されたネットワーク情報テーブルの構造を示している。
【図６】
図３の放送トランスポートストリーム内で伝送されるサービス記述子テーブルの構造を示している。